(57)【要約】【課題】この発明は、ホーンジャックを音声モニター出力端子として有する機器において、簡単な回路構成で、機器内部の音声信号のＳ／Ｎ比が低下したり、外部からのプラグの抜き差し時にボツ音やゴソゴソ音等の接触ノイズが発生するといったことを回避できる音声回路を提供することを目的とする。【解決手段】音声モニター出力端子としてステレオ・ホーンジャックが用いられている機器における音声回路において、入力音声信号をステレオ・ホーンジャックに供給するための第１回路、入力音声信号をステレオ・ホーンジャックを介することなく、スピーカ用音声信号を生成するための音声出力回路に供給するための第２回路、ならびにステレオ・ホーンジャックにプラグが挿入されている状態においては、音声出力回路からスピーカ用音声信号が出力されるのを停止させるための第３回路を備えている。【選択図】  図３
2005045477.tif 000002
【特許請求の範囲】
【請求項１】
音声モニター出力端子としてステレオ・ホーンジャックが用いられている機器における音声回路において、
入力音声信号をステレオ・ホーンジャックに供給するための第１回路、
入力音声信号をステレオ・ホーンジャックを介することなく、スピーカ用音声信号を生成するための音声出力回路に供給するための第２回路、ならびに
ステレオ・ホーンジャックにプラグが挿入されている状態においては、音声出力回路からスピーカ用音声信号が出力されるのを停止させるための第３回路、
を備えていることを特徴とする音声回路。
【請求項２】
第３回路は、
ステレオ・ホーンジャックの一方の内側接片に所定の電圧を印加するための回路、および
ステレオ・ホーンジャックにプラグが挿入されていない状態とプラグが挿入されている状態との間で上記内側接片の電位が変化することを利用することにより、ステレオ・ホーンジャックにプラグが挿入されている状態においては、音声出力回路からスピーカ用音声信号が出力されるのを停止させる回路、
を備えていることを特徴とする請求項１に記載の音声回路。
【発明の詳細な説明】
【０００１】
【発明の属する技術分野】
この発明は、ステレオ・ホーンジャックをモニター出力端子として有している機器における音声回路に関する。
【０００２】
【従来の技術】
従来のＴＶ、ラジオ、オーディオ機器に設けられているステレオ・ホーンジャックは、イヤホーンまたはヘッドホーンを接続するためのものである。このようなステレオ・ホーンジャックには、内部スピーカ用の音声信号が供給されており、ステレオ・ホーンジャックに外部からプラグが挿入されていない場合には、ステレオ・ホーンジャックを介して内部スピーカに音声信号が与えられる。ステレオ・ホーンジャックに外部からプラグが挿入されると、ホーンジャックの外側接片と内側接片との接触が解除されるため、内部スピーカに音声信号が供給されなくなる。
【０００３】
図１は、ホーンジャックをモニター出力端子として有している機器における従来の音声回路の全体的な構成を示している。
【０００４】
ステレオの入力音声は、入力信号選択および音量コントロール回路１を介してホーンジャック２に供給される。ホーンジャック２に外部機器に接続されたプラグ３が挿入されていない場合には、ホーンジャック２に供給されたステレオ音声信号は、ステレオ／モノラル変換回路４に送られ、モノラル音声信号に変換される。ステレオ／モノラル変換回路４から出力されるモノラル音声信号は、音声出力ＩＣ（音声出力回路）５を介して内部スピーカ６に供給される。
【０００５】
ホーンジャック２にプラグ３が挿入された場合には、ホーンジャック２の外側接片２１Ｌ、２１Ｒと内側接片２２Ｌ、２２Ｒとの接触状態が解除されるため、ホーンジャック２に供給されたステレオ音声信号は、ステレオ／モノラル変換回路４には送られず、プラグ３を介して外部機器に供給される。
【０００６】
図２は、従来の音声回路の具体的な構成を示している。
【０００７】
複数の入力音声信号は、入力信号選択および音量コントロール回路１に入力する。入力信号選択および音量コントロール回路１は、複数の入力音声信号から１つの入力音声信号を選択し、そのゲインを制御する。
【０００８】
入力信号選択および音量コントロール回路１から出力されたステレオ音声信号の左チャンネル信号は抵抗Ｒ１、トランジスタＴｒ１および抵抗Ｒ３からなるエミッタホロワ回路、ＤＣ成分カット用のコンデンサＣ１ならびに出力抵抗Ｒ５を介してホーンジャック２の外側接片２１Ｌに送られる。
【０００９】
入力信号選択および音量コントロール回路１から出力されたステレオ音声信号の右チャンネル信号は抵抗Ｒ２、トランジスタＴｒ２および抵抗Ｒ４からなるエミッタホロワ回路、ＤＣ成分カット用のコンデンサＣ２ならびに出力抵抗Ｒ６を介してホーンジャック２の外側接片２１Ｒに送られる。
【００１０】
コンデンサＣ１、Ｃ２および抵抗Ｒ５、Ｒ６は、機器外部に出た出力信号がＧＮＤや外部の電源とショートした時などに、機器内部の回路を保護するために設けられているものである。また、抵抗Ｒ５とホーンジャック２との中間点とＧＮＤとの間に設けられた抵抗Ｒ７および抵抗Ｒ６とホーンジャック２との中間点とＧＮＤとの間に設けられた抵抗Ｒ８は、それぞれコンデンサＣ１、Ｃ２の放電抵抗であり、出力電位を安定させるために設けられたものである。
【００１１】
ホーンジャック２の外側接片２１Ｌに送られた左チャンネル信号およびホーンジャック２の外側接片２１Ｒに送られた右チャンネル信号は、ステレオ／モノラル変換回路に送られて、モノラルの音声信号に変換される。
【００１２】
つまり、ホーンジャック２の外側接片２１Ｌに送られた左チャンネル信号は、ホーンジャック２の内側接片２２Ｌを介して、抵抗Ｒ９、トランジスタＴｒ３および抵抗Ｒ１１からなるエミッタホロワ回路に送られる。同様に、ホーンジャック２の外側接片２１Ｒに送られた右チャンネル信号は、ホーンジャック２の内側接片２２Ｒを介して、抵抗Ｒ１０、トランジスタＴｒ４および抵抗Ｒ１２からなるエミッタホロワ回路に送られる。
【００１３】
一方のエミッタホロワ回路の出力と、他方のエミッタホロワ回路の出力とは、それぞれ抵抗Ｒ１３、Ｒ１４を介して足し合わされて、モノラル化された後、抵抗Ｒ１５、トランジスタＴｒ５および抵抗Ｒ１６からなるエミッタホロワ回路、コンデンサＣ３ならびに音声出力ＩＣ５を介して内部スピーカ６に供給される。
【００１４】
音声出力ＩＣ５は、ＭＵＴＥ端子を備えている。このＭＵＴＥ端子の電位がＬレベルである場合に、音声出力ＩＣ５は音声出力を停止させる。抵抗Ｒ２２、トランジスタＴｒ６および抵抗Ｒ２１はミュート回路である。ミュート信号がＨレベルとなると、トランジスタＴｒ６がオンとなり、ＭＵＴＥ端子の電位がＬレベルとなる。
【００１５】
【発明が解決しようとする課題】
プレゼンテーションなどに使用される小型の液晶プロジェクタは、機器を軽量化、小型化するために、内部スピーカとしてはモノラルで小型のものが使用され、その音量も大きくない。これに対して、液晶プロジェクタに入力される音声信号はステレオの音声信号であり、内部スピーカへはステレオの音声信号がモノラル化された後の音声信号が供給される。
【００１６】
ただし、オーディオアンプなどの外部オーディオ機器への外部音声出力としては、モノラル化されたスピーカ出力ではなく、ステレオで音量コントロールされた音声モニタ信号が用いられる。
【００１７】
また、小型の液晶プロジェクタでは、機器自体が小さいので、入出力端子の占める面積を小さくするため、音声出力端子としては、ＲＣＡジャックではなく、ステレオ・ホーンジャックを用いることが多い。そして、スピーカ出力信号等の低インピーダンス信号と異なり、ステレオで音量コントロールされた音声モニタ信号をホーンジャックに供給しているため、機器内部の音声信号のＳ／Ｎ比が低下したり、外部からのプラグの抜き差し時には、ボツ音やゴソゴソ音等の接触ノイズが発生しやすい。
【００１８】
この発明は、ホーンジャックを音声モニター出力端子として有する機器において、簡単な回路構成で、機器内部の音声信号のＳ／Ｎ比が低下したり、外部からのプラグの抜き差し時にボツ音やゴソゴソ音等の接触ノイズが発生するといったことを回避できる音声回路を提供することを目的とする。
【００１９】
【課題を解決するための手段】
請求項１に記載の発明は、音声モニター出力端子としてステレオ・ホーンジャックが用いられている機器における音声回路において、入力音声信号をステレオ・ホーンジャックに供給するための第１回路、入力音声信号をステレオ・ホーンジャックを介することなく、スピーカ用音声信号を生成するための音声出力回路に供給するための第２回路、ならびにステレオ・ホーンジャックにプラグが挿入されている状態においては、音声出力回路からスピーカ用音声信号が出力されるのを停止させるための第３回路を備えていることを特徴とする音声回路。
【００２０】
請求項２に記載の発明は、請求項１に記載の音声回路において、第３回路は、ステレオ・ホーンジャックの一方の内側接片に所定の電圧を印加するための回路、およびステレオ・ホーンジャックにプラグが挿入されていない状態とプラグが挿入されている状態との間で上記内側接片の電位が変化することを利用することにより、ステレオ・ホーンジャックにプラグが挿入されている状態においては、音声出力回路からスピーカ用音声信号が出力されるのを停止させる回路を備えていることを特徴とする。
【００２１】
【発明の実施の形態】
以下、図面を参照して、この発明の実施の形態について説明する。
【００２２】
図３は、この発明の実施の形態での音声回路の構成を示している。
【００２３】
図３において、図２と同じものには、同じ符号を付してその説明を省略する。
【００２４】
入力信号選択および音量コントロール回路１からホーンジャック２に音声信号を供給するための回路は、図２と同じである。この実施の形態では、入力信号選択および音量コントロール回路１からの音声信号を、ホーンジャック２を介さずに、直接にステレオ／モノラル変換回路に供給している点が図２の回路と異なっている。また、この実施の形態では、ホーンジャック２にプラグが挿入された状態において、音声出力ＩＣ５にミュートをかけるための回路が追加されている。
【００２５】
入力信号選択および音量コントロール回路１からの出力信号が、ホーンジャック２を介さずに、直接にステレオ／モノラル変換回路に供給されていることについて説明する。入力信号選択および音量コントロール回路１から出力された左チャンネル信号は、抵抗Ｒ３１、トランジスタＴｒ１１および抵抗Ｒ３３からなるエミッタホロワ回路に送られる。同様に、入力信号選択および音量コントロール回路１から出力された右チャンネル信号は、抵抗Ｒ３２、トランジスタＴｒ１２および抵抗Ｒ３４からなるエミッタホロワ回路に送られる。
【００２６】
一方のエミッタホロワ回路の出力と、他方のエミッタホロワ回路の出力とは、それぞれ抵抗Ｒ３５、Ｒ３６を介して足し合わされて、モノラル化された後、抵抗Ｒ３７、トランジスタＴｒ１３および抵抗Ｒ３７からなるエミッタホロワ回路、コンデンサＣ４ならびに音声出力ＩＣ５を介して内部スピーカ６に供給される。
【００２７】
音声出力ＩＣ５は、ＭＵＴＥ端子を備えている。このＭＵＴＥ端子の電位がＬレベルである場合に、音声出力ＩＣ５は音声出力を停止させる。抵抗Ｒ２２、トランジスタＴｒ６、抵抗４７、抵抗４６、ダイオードＤｉ２および抵抗Ｒ４５はミュート回路である。ミュート信号がＨレベルとなると、トランジスタＴｒ６がオンとなり、ＭＵＴＥ端子の電位がＬレベルとなる。
【００２８】
ホーンジャック２にプラグが挿入された状態において、音声出力ＩＣ５にミュートをかけるための回路について説明する。
【００２９】
ホーンジャック２の内側接片２２Ｌは、抵抗４１を介して直流電源（＋５Ｖ）に接続されている。また、この内側接片２２Ｌは、抵抗Ｒ４２および抵抗Ｒ４３を介して接地されている。抵抗Ｒ４２と抵抗Ｒ４３との接続点は、トランジスタＴｒ１４のベースに接続されている。
【００３０】
トランジスタＴｒ１４のコレクタは、直流電源（＋５Ｖ）に接続されている。トランジスタＴｒ１４のエミッタは、抵抗Ｒ４４を介して接地されているとともに、ダイオードＤｉ１を介して抵抗Ｒ４６に接続されている。トランジスタＴｒ１４のベースは、コンデンサＣ６を介して接地されているとともに、コンデンサＣ５を介してコレクタに接続されている。コンデンサＣ５に並列にダイオードＤｉ３が接続されている。
【００３１】
一般に、出力抵抗Ｒ５、Ｒ６の抵抗値が１ＫΩであるとすると、終端抵抗Ｒ７、Ｒ８としてはそれより非常に大きい１００ＫΩ程度のものが使用される。この場合、モニタ出力端子を中点電位にしたいので、抵抗Ｒ７の抵抗値を１００ＫΩとすると、抵抗Ｒ４１として１００ＫΩのものを使用する。
【００３２】
抵抗Ｒ４１と抵抗Ｒ４２との間の電位は、ホーンジャック２にプラグが挿入されていない場合には、音声信号が存在しないとすると、２．５Ｖ程度｛５Ｖ×Ｒ７／（Ｒ４１＋Ｒ７）｝となる。なお、後述するように、抵抗Ｒ４２の抵抗値を１００ＫΩとし、抵抗Ｒ４３の抵抗値を１ＭΩとすると、トランジスタＴｒ１４のベース電位は約２．２Ｖとなり、トランジスタＴｒ１４のエミッタ電位は約１．６Ｖになる。
【００３３】
ところが、ホーンジャック２には、音量コントールされた音声信号が存在する。音声信号が通常の音楽や声の音声信号であれば問題ないが、音声の検討や試験には、サイン波がよく使われる。特に、入力信号選択および音量コントロール回路１に４００Ｈｚや１ＫＨｚのサイン波が過大な２Ｖｒｍｓ以上で入力され、かつ入力信号選択および音量コントロール回路１の音量が最大に設定されているとすると、ホーンジャック（モニタ出力端子）２には５Ｖｐ−ｐ以上のサイン波の信号が発生する。このサイン波の信号は、抵抗Ｒ４２を介してコンデンサＣ５、Ｃ６で整流されるが、過渡的にはトランジスタＴｒ１４のベース電位が５Ｖを越える場合があるので、トランジスタＴｒ１４の保護のためにリミッタ回路としてのダイオードＤｉ３が設けられている。
【００３４】
音声の検討や測定に使う１ＫＨｚや４００Ｈｚのサイン波をコンデンサＣ５、Ｃ６で整流するためには、抵抗Ｒ４２としては１００ＫΩ程度のものが、コンデンサＣ５としては２．２μＦのものが、コンデンサＣ６としては１μＦのものが、それぞれ必要となる。コンデンサＣ５としてコンデンサＣ６の容量より大きいものが用いられているのは、電源立ち上がり時に、トランジスタＴｒ１４のベース電位を電源側から立ち上げることで、音声出力をミュートさせたいためである。
【００３５】
トランジスタＴｒ１４のベース電位の安定とコンデンサＣ５、Ｃ６の放電抵抗も兼ねて、抵抗Ｒ４３として抵抗値が１ＭΩのものが用いられる。トランジスタＴｒ１４のｈＦＥのバラツキや温度特性を考慮して、抵抗Ｒ４４の抵抗値を約２０ＫΩ程度とする。このようにすることで、プラグがホーンジャック２に挿入されていない場合であって、音声信号が存在しかつ音量が最大であるときには、トランジスタＴｒ１４のエミッタ電位は約１．７Ｖとなる。
【００３６】
一方、プラグがホーンジャック２に挿入されると、ホーンジャック２の内側接片２２Ｌと終端抵抗Ｒ７との接続が外れるので、トランジスタＴｒ１４のベース電位は、約４Ｖ程度｛５Ｖ×Ｒ４３／（Ｒ４１＋Ｒ４２＋Ｒ４３）｝となる。
【００３７】
したがって、ダイオードＤｉ１を通った電位は、プラグ未挿入時で約１．０Ｖとなり、プラグ挿入時で約２．７Ｖとなる。トランジスタＴｒ６を、プラグ未挿入時に確実にオフ状態とし、プラグ挿入時に確実にオンさせるためには、抵抗Ｒ４６の抵抗値を１０ＫΩとすると、抵抗Ｒ４７の抵抗値は５ＫΩとなる。ブラグがホーンジャック２に挿入されることにより、トランジスタＴｒ６がオン状態となると、ＭＵＴＥ端子がＬレベルとなり、音声出力ＩＣ５は音声出力を停止させる。
【００３８】
なお、この実施の形態では、トランジスタＴｒ６のコレクタを音声出力ＩＣ５のＭＵＴＥ端子に接続しているが、音声出力ＩＣ５の音量コントール端子に接続してもよい。また、音声出力ＩＣ５の種類によっては、トランジスタＴｒ６のコレクタを、スタンバイ端子やイネーブル端子に接続するようにしてもよい。
【００３９】
なお、コンデンサＣ５は、電源投入時にトランジスタＴｒ１４のベースをＨレベル側から立ち上げ、音声出力ＩＣ５をミュート状態からスタートさせるために設けられたものである。
【００４０】
上記実施の形態では、ホーンジャック２の左チャンネル側の内側接片２２Ｌにバイアスをかけているが、ホーンジャック２の右チャンネル側の内側接片２２Ｒにバイアスをかけるようにしてもよい。上記実施の形態において、ホーンジャック２の左チャンネル側の内側接片２２Ｌにバイアスをかけているのは、左チャンネル側の内側接片２２Ｌは、右チャンネル側の内側接片２２Ｒに比べて、ホーンジャック２の入口側にあるため、プラグ挿入時において、内部スピーカ６に対する音声出力をより早く停止できるからである。
【００４１】
上記実施の形態では、従来のように、ホーンジャック２の機械的な接触によって、音声信号の音声出力ＩＣ５への供給を直接にオンオフ制御していないので、Ｓ／Ｎ比の低下するといったこともなく、プラグの抜き差しによる過渡的なＤＣ電位の暴れも無い。
【００４２】
また、ＧＮＤ電位のモニター出力を受け取る場合、再度電位を与えたり、＋／−電源が必要になるが、この場合も回路を動かす電源（−５Ｖ）が不要になるので、回路構成も簡単となる。
【００４３】
また、時定数を持つミュート信号でスピーカ出力を停止させているので、プラグの抜き差しに対して安定した状態となり、耳障りな接触音やボツ音は全く無い。また、ホーンジャック２にプラグが挿入された状態においては、回路の電力を多く使う音声出力ＩＣ５を停止させているため、省エネルギーの面からの効果がある。
【００４４】
なお、上記実施の形態では、トランジスタＴｒ１４の保護のためにダイオードＤｉ３が設けられているが、このダイーオードＤｉ３を省略してもよい。
【００４５】
【発明の効果】
この発明によれば、ホーンジャックを音声モニター出力端子として有する機器において、簡単な回路構成で、機器内部の音声信号のＳ／Ｎ比が低下したり、外部からのプラグの抜き差し時にボツ音やゴソゴソ音等の接触ノイズが発生するといったことを回避できるようになる。
【図面の簡単な説明】
【図１】ホーンジャックをモニター出力端子として有している機器における従来の音声回路の全体的な構成を示すブロック図である。
【図２】従来の音声回路の具体的な構成を示す電気回路図である。
【図３】本発明の実施の形態である音声回路の具体的な構成を示す電気回路図である。
【符号の説明】
１  入力信号選択および音量コントロール回路
２  ホーンジャック
３  プラグ
５  音声出力ＩＣ
６  内部スピーカ
Ｔｒ１１、Ｔｒ１２、Ｔｒ１３  トランジスタ
Ｔｒ６、Ｔｒ１４  トランジスタ
Ｒ４１、Ｒ４２、Ｒ４３、Ｒ４４  抵抗
【図１】
2005045477.tif 000003
【図２】
2005045477.tif 000004
【図３】
2005045477.tif 000005